(57)【要約】【課題】スクリーンの脱荷や清掃に必要なタイミングで噴霧することにより、使用水量を必要最低限にとどめ、水の節約を図るようにしたスクリーン循環式除塵機を提供すること。【解決手段】循環するスクリーン１により水中の夾雑物を捕捉するとともに、水上にて洗浄ノズル２から加圧水を噴霧することにより、捕捉した夾雑物をスクリーン１から脱荷し、シュート３に回収するようにしたスクリーン循環式除塵機において、洗浄ノズル２に断続的に給水し、洗浄ノズル２から間欠的に噴霧するバルブ装置４を設ける。【選択図】図１
2008038506.tif 000002
【特許請求の範囲】
【請求項１】
循環するスクリーンにより水中の夾雑物を捕捉するとともに、水上にて洗浄ノズルから加圧水を噴霧することにより、捕捉した夾雑物をスクリーンから脱荷し、シュートに回収するようにしたスクリーン循環式除塵機において、前記洗浄ノズルに断続的に給水し、該洗浄ノズルから間欠的に噴霧するバルブ装置を設けたことを特徴とするスクリーン循環式除塵機。
【請求項２】
スクリーンの循環装置により駆動し、バルブ装置の給水バルブを開閉するカム機構を設けたことを特徴とする請求項１記載のスクリーン循環式除塵機。
【請求項３】
洗浄ノズルの噴霧位置にスクリーンパネルがきたときに、洗浄ノズルが同期して噴霧するように給水バルブを開閉するようにしたことを特徴とする請求項１又は２記載のスクリーン循環式除塵機。
【発明の詳細な説明】
【技術分野】
【０００１】
本発明は、下水処理や河川排水処理において使用されるスクリーン循環式除塵機に関し、特に、スクリーンの脱荷や清掃に必要なタイミングで噴霧することにより、使用水量を必要最低限にとどめ、水の節約を図るようにしたスクリーン循環式除塵機に関するものである。
【背景技術】
【０００２】
スクリーン循環式除塵機は、例えば水路に設置して、塵芥を捕捉しながら流水通過させ、スクリーンの回転によって捕捉した塵芥を水中から掻き上げて水路外に排除する除塵機である。
【０００３】
具体的には、このスクリーン循環式除塵機は、スクリーンパネルを複数枚エンドレス状に接続してスクリーンを形成し、循環するスクリーンにより水中の夾雑物を捕捉し、水上の上部円周部にてスクリーンの外側から加圧水を噴霧することにより、夾雑物のスクリーンからの脱荷や清掃を行い、シュートに回収するようにしている。
【０００４】
加圧水を噴霧する洗浄ノズルは、上水や処理水を使用しているが、スクリーンの運転に合わせて連続して噴霧するため、多くの水量を必要としている。
【発明の開示】
【発明が解決しようとする課題】
【０００５】
本発明は、上記従来のスクリーン循環式除塵機が有する問題点に鑑み、スクリーンの脱荷や清掃に必要なタイミングで噴霧することにより、使用水量を必要最低限にとどめ、水の節約を図るようにしたスクリーン循環式除塵機を提供することを目的とする。
【課題を解決するための手段】
【０００６】
上記目的を達成するため、本発明のスクリーン循環式除塵機は、循環するスクリーンにより水中の夾雑物を捕捉するとともに、水上にて洗浄ノズルから加圧水を噴霧することにより、捕捉した夾雑物をスクリーンから脱荷し、シュートに回収するようにしたスクリーン循環式除塵機において、前記洗浄ノズルに断続的に給水し、該洗浄ノズルから間欠的に噴霧するバルブ装置を設けたことを特徴とする。
【０００７】
この場合において、スクリーンの循環装置により駆動し、バルブ装置の給水バルブを開閉するカム機構を設けることができる。
【０００８】
また、洗浄ノズルの噴霧位置にスクリーンパネルがきたときに、洗浄ノズルが同期して噴霧するように給水バルブを開閉するようにすることができる。
【発明の効果】
【０００９】
本発明のスクリーン循環式除塵機によれば、循環するスクリーンにより水中の夾雑物を捕捉するとともに、水上にて洗浄ノズルから加圧水を噴霧することにより、捕捉した夾雑物をスクリーンから脱荷し、シュートに回収するようにしたスクリーン循環式除塵機において、前記洗浄ノズルに断続的に給水し、該洗浄ノズルから間欠的に噴霧するバルブ装置を設けることから、スクリーンの脱荷や清掃に必要なタイミングで間欠的に噴霧することにより、使用水量を必要最低限にとどめ、水の節約を図ることができる。
【００１０】
この場合、スクリーンの循環装置により駆動し、バルブ装置の給水バルブを開閉するカム機構を設けることにより、間欠噴霧の作動や制御はスクリーンの動きを利用することができ、別動力や電気制御装置等が不要となる。
【００１１】
また、洗浄ノズルの噴霧位置にスクリーンパネルがきたときに、洗浄ノズルが同期して噴霧するように給水バルブを開閉することにより、スクリーンの脱荷や清掃に必要なタイミングで噴霧し、使用水量を必要最低限にとどめて、水の節約を図ることができる。
【発明を実施するための最良の形態】
【００１２】
以下、本発明のスクリーン循環式除塵機の実施の形態を、図面に基づいて説明する。
【実施例１】
【００１３】
図１〜図３に、本発明のスクリーン循環式除塵機の第１実施例を示す。
このスクリーン循環式除塵機は、循環するスクリーン１により水中の夾雑物を捕捉するとともに、水上にて洗浄ノズル２から加圧水を噴霧することにより、捕捉した夾雑物をスクリーン１から脱荷し、シュート３に回収するようにしている。
そして、このスクリーン循環式除塵機は、前記洗浄ノズル２に断続的に給水し、該洗浄ノズル２から間欠的に噴霧するバルブ装置４を設けるとともに、スクリーン１の循環装置により駆動し、バルブ装置４の給水バルブ４１を開閉するカム機構５を設けている。
【００１４】
スクリーン１は、図３に示すように、多数のスクリーンプレート１１を櫛歯状に並設することにより複数のスクリーンパネル１２を形成し、これらのスクリーンパネル１２をリンクすることにより無端状のスクリーン１を形成している。
スクリーン１は、駆動用のスプロケット６によりレール７に沿って駆動するコンベアチェーン８によって循環する。
【００１５】
コンベアチェーン８は、１つのリンクに４個のローラ８１を備え、各ローラ８１がレール７の円周部に沿う円弧状に配列されるように、山型に形成したリンクプレート８２に配設している。
また、コンベアチェーン８は、その外側に駆動用のスプロケット６を配設し、この駆動用のスプロケット６がローラ８１に噛合することにより駆動する。
なお、１枚のスクリーンパネル１２は、１組のリンクプレート８２の両端に架設されている。
【００１６】
洗浄ノズル２は、スクリーン循環式除塵機の上部で、外側からスクリーン１と対向するように複数設置されており、水上にてスクリーン１の外側から加圧水を噴霧することにより、捕捉された夾雑物をスクリーン１から脱荷し、シュート３に落下させる。
洗浄ノズル２には、水源から洗浄水が供給されるが、バルブ装置４が洗浄ノズル２に断続的に給水することから、洗浄ノズル２からスクリーン１には、間欠的に洗浄水が噴霧される。
洗浄ノズル２は、概ね１枚のスクリーンパネル１２を洗浄する噴霧面積を有し、移動してきたスクリーンパネル１２が噴霧位置に一致したときに、このスクリーンパネル１２に対し、洗浄水を一定時間噴霧する。
【００１７】
バルブ装置４は、開閉することにより洗浄ノズル２に断続的に給水する給水バルブ４１と、スクリーン１の循環装置により駆動し、上記給水バルブ４１を開閉するカム機構５とを備えている。
カム機構５は、図１〜図２に示すように、チェーン又はベルト５１を介してスプロケット６と連動して回転するカム５２と、該カム５２に摺接し、出入することにより給水バルブ４１を開閉操作する摺動ピン５３とを備えている。
この場合、スクリーンパネル１２が脱荷位置にきたときに噴霧するように、スプロケット６の回転とカム５２の回転とを所定の減速比で同期させ、給水バルブ４１を開閉することで、洗浄ノズル２から間欠的に噴霧しスクリーン１を効果的に洗浄するようにしている。
【００１８】
一方、カム機構５は、図３〜図４に示すように、リンクプレート８２に円弧状に配列したローラ８１に対してリンクアーム５４を摺接し、このリンクアーム５４を介して、通過するローラ８１の突出高さにより揺動するカム５５と、該カム５５の先端に当接し、出入することにより給水バルブ４１を開閉操作する摺動ピン５３とを備えて構成することもできる。
【００１９】
このように、本実施例のスクリーン循環式除塵機は、スクリーン１の運転による、コンベアチェーン８の運行や駆動用のスプロケット６の回転を利用し、その動きを給水バルブ４１の弁体に伝達し、給水バルブ４１を開閉することにより、洗浄ノズル２から洗浄水を間欠的に噴霧する。
そして、洗浄ノズル２の噴霧位置にスクリーンパネル１２がきたときに、洗浄ノズル２が同期して噴霧するように給水バルブ４１を開閉することにより、スクリーン１の脱荷や清掃に必要なタイミングで噴霧し、使用水量を必要最低限にとどめて、水の節約を図ることができる。
【００２０】
かくして、本実施例のスクリーン循環式除塵機は、循環するスクリーン１により水中の夾雑物を捕捉するとともに、水上にて洗浄ノズル２から加圧水を噴霧することにより、捕捉した夾雑物をスクリーン１から脱荷し、シュート３に回収するようにしたスクリーン循環式除塵機において、前記洗浄ノズル２に断続的に給水し、該洗浄ノズル２から間欠的に噴霧するバルブ装置４を設けることから、スクリーン１の脱荷や清掃に必要なタイミングで間欠的に噴霧することにより、使用水量を必要最低限にとどめ、水の節約を図ることができる。
【００２１】
この場合、スクリーン１の循環装置により駆動し、バルブ装置４の給水バルブ４１を開閉するカム機構５を設けることにより、間欠噴霧の作動や制御はスクリーン１の動きを利用することができ、別動力や電気制御装置等が不要となる。
【００２２】
また、洗浄ノズル２の噴霧位置をスクリーンパネル１２が通過するときに、洗浄ノズル２が同期して噴霧するように給水バルブ４１を開閉することにより、スクリーン１の脱荷や清掃に必要なタイミングで噴霧し、使用水量を必要最低限にとどめて、水の節約を図ることができる。
【００２３】
以上、本発明のスクリーン循環式除塵機について、その実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００２４】
本発明のスクリーン循環式除塵機は、スクリーンの脱荷や清掃に必要なタイミングで間欠的に噴霧することにより、使用水量を必要最低限にとどめ、水の節約を図るという特性を有していることから、下水処理・浄水処理の除塵設備や河川用の除塵設備をはじめとして、一般産業・食品関連の除塵設備の用途にも好適に用いることができる。
【図面の簡単な説明】
【００２５】
【図１】本発明のスクリーン循環式除塵機の第１実施例を示す洗浄水噴霧時の正面図である。
【図２】同スクリーン循環式除塵機の噴霧停止時の正面図である。
【図３】同スクリーン循環式除塵機の全体を示す斜視図である。
【図４】本発明のスクリーン循環式除塵機の第２実施例を示す洗浄水噴霧時の正面図である。
【図５】同スクリーン循環式除塵機の噴霧停止時の正面図である。
【符号の説明】
【００２６】
１    スクリーン
１１  スクリーンプレート
１２  スクリーンパネル
２    洗浄ノズル
３    シュート
４    バルブ装置
４１  給水バルブ
５    カム機構
５１  チェーン又はベルト
５２  カム
５３  摺動ピン
５４  リンクアーム
５５  カム
６    スプロケット
７    レール
８    コンベアチェーン
８１  ローラ
８２  リンクプレート
【図１】
2008038506.tif 000003
【図２】
2008038506.tif 000004
【図３】
2008038506.tif 000005
【図４】
2008038506.tif 000006
【図５】
2008038506.tif 000007